(57)【要約】【課題】  施工が容易で、かつ、高い防水性能を発揮可能な腰壁の施工方法を提供する。【解決手段】  第１腰壁部分および第２腰壁部分を含む腰壁の施工方法であって、複数の支柱に対して複数の第１腰壁部分をそれぞれ取り付ける第１腰壁部分取り付けステップと、複数の第１腰壁部分の間に第２腰壁部分を取り付ける第２腰壁部分取り付けステップと、を含み、第２腰壁部分は支柱に対して直接取り付けられない。これにより、第１腰壁部分および第２腰壁部分は支柱間の距離よりも幅が短いものとなり、各一つ当たりの重量を低減できる。また、支柱に取り付けられた第１腰壁部分に対して第２腰壁部分を取り付けるため、安定的に取り付けられる。更に、第２腰壁部分は支柱には取り付けられないため、省力化が図れる。【選択図】  図５
2019183431.tif 000002
【特許請求の範囲】
【請求項１】
第１腰壁部分および第２腰壁部分を含む腰壁の施工方法であって、
複数の支柱に対して複数の前記第１腰壁部分をそれぞれ取り付ける第１腰壁部分取り付けステップと、
複数の前記第１腰壁部分の間に前記第２腰壁部分を取り付ける第２腰壁部分取り付けステップと、を含み、
前記第２腰壁部分は支柱に対して取り付けられない、腰壁の施工方法。
【請求項２】
前記第１腰壁部分取り付けステップは複数の前記支柱に対して複数の前記第１腰壁部分を一対一対応で取り付ける、請求項１に記載の腰壁の施工方法。
【請求項３】
前記第１腰壁部分は前記腰壁の内面および外面を構成する側面以外の側面に、前記第１腰壁部分と前記第２腰壁部分が形成する前記腰壁の延在方向に対して傾斜する面部分である第１傾斜面部分を有し、
前記第２腰壁部分は前記腰壁の内面および外面を構成する側面以外の側面に、前記腰壁の延在方向に対して傾斜する面部分である第２傾斜面部分を有し、
前記第２腰壁部分取り付けステップにより前記第１腰壁部分に対して前記第２腰壁部分が取り付けられた際、前記第１傾斜面部分と前記第２傾斜面部分とは対向し合う、請求項１または請求項２に記載の腰壁の施工方法。
【請求項４】
前記第１傾斜面部分および／または前記第２傾斜面部分に対してパッキンを取り付けるステップを更に含む、請求項３に記載の施工方法。
【請求項５】
前記第１腰壁部分の幅は前記第２腰壁部分の幅より狭い、請求項１〜４のいずれか一項に記載の腰壁の施工方法。
【請求項６】
第１腰壁部分と第２腰壁部分とを有する腰壁であって、
第１腰壁部分は前記腰壁の内面および外面を構成する側面以外の側面に、前記第１腰壁部分と前記第２腰壁部分が形成する前記腰壁の延在方向に対して傾斜する面部分である第１傾斜面部分を有し、
前記第２腰壁部分は前記腰壁の内面および外面を構成する側面以外の側面に、前記腰壁の延在方向に対して傾斜する面部分である第２傾斜面部分を有し、
前記第１傾斜面部分と前記第２傾斜面部分とは対向し合う、腰壁。
【請求項７】
前記第１傾斜面部分と前記第２傾斜面部分の間に挟持されるパッキンを更に有する、請求項６に記載の腰壁。
【請求項８】
前記第１腰壁部分を取り付ける支柱を更に有し、
前記第２腰壁部分は支柱に対して取り付けられない、請求項６または請求項７に記載の腰壁。
【請求項９】
前記第１腰壁部分の幅は前記第２腰壁部分の幅より狭い、請求項６〜８のいずれか一項に記載の腰壁。
【請求項１０】
前記第１腰部分の前記側面に第１凹溝が備えられ、前記第２腰部分の前記側面に第２凹溝が備えられ、前記各側面を対向させたときに、前記第１凹溝と前記第２凹溝とでコーキング材が打ち込まれる防水施工溝が形成される、請求項６〜９の何れかに記載の腰壁。
【発明の詳細な説明】
【技術分野】
【０００１】
本発明は腰壁およびその施工方法の改良に関する。
【背景技術】
【０００２】
腰壁を構築する方法の一つとして、複数のプレキャストコンクリート製腰壁部材を複数の支柱間に配置して取り付ける方法がある。例えば特許文献１には、複数の支柱の外側の基礎上面に支柱の配列方向に沿った嵌合溝を形成し、腰壁部材の下端の嵌合突部を嵌合溝に嵌合して立設し、腰壁部材の上部を支柱にボルトで仮止め保持し、室内側からバールを用いて腰壁部材の位置調整を行い、次に腰壁部材の上部を支柱に本接合することで腰壁を構築する方法が記載されている（特許文献１の請求項１等参照）。
【先行技術文献】
【特許文献】
【０００３】
【特許文献１】特許第４８８４２６９号公報
【発明の概要】
【発明が解決しようとする課題】
【０００４】
特許文献１に記載の技術によれば、場所打ちコンクリート工法で腰壁を構築する場合と比べて、現場における作業の効率化を図ることができる。しかしながら、特許文献１に記載の技術においては、隣り合う一対の支柱の間隔に相当する幅を有する腰壁部材を用いることから、腰壁部材一つ当たりの重量が大きくなり、その取り回しが困難であるという問題があった。更には、特許文献１に記載の腰壁部材同士の対向面は平面状となっているため（引用文献１の図２参照）、設置済みの腰壁部材に対して別の腰壁部材を接近させて設置する際、両者間に配置されるパッキンが腰壁部材の対向面間で強い摩擦を受けることにより本来意図しない変形（例えば、捩れる等）を生じたり、脱落したり、破損したりする可能性がある。そうすると、パッキンは十分な防水機能を発揮できなくなる虞がある。
そこで本発明は、施工が容易で、かつ、高い防水性能を発揮可能な腰壁の施工方法を提供することをその目的の一つとする。
【課題を解決するための手段】
【０００５】
本発明の発明者らは上記課題を解決するために鋭意検討を重ねた結果、下記のように本発明の各局面に想到した。
すなわち、本発明の第１の局面による腰壁の施工方法は、第１腰壁部分および第２腰壁部分を含む腰壁の施工方法であって、複数の支柱に対して複数の第１腰壁部分をそれぞれ取り付ける第１腰壁部分取り付けステップと、複数の第１腰壁部分の間に第２腰壁部分を取り付ける第２腰壁部分取り付けステップと、を含み、第２腰壁部分は支柱に対して取り付けられない、腰壁の施工方法である。
【発明の効果】
【０００６】
上記の施工方法によれば、支柱に対して取り付けられる第１腰壁部分と、支柱に取り付けられた第１腰壁部分に対して取り付けられる第２腰壁部分とを用いるため、第１腰壁部分、第２腰壁部分のいずれの幅も、隣り合う支柱間の距離よりも短いものとすることができる。それにより、第１腰壁部分および第２腰壁部分の各一つ当たりの重量を低減することができ、施工性が向上する。しかも、既に支柱に取り付けられた第１腰壁部分に対して第２腰壁部分を取り付けるため、第２腰壁部分を取り付ける際、安定的に取り付けることができる。また、第２腰壁部分は支柱には取り付けられないため、その分、施工時の省力化が図れる。第２腰壁部分の傾倒防止は第１腰壁部分のみで行われる。
【０００７】
また、本発明の第２の局面によれば、上記の施工方法において、第１腰壁部分取り付けステップは複数の支柱に対して複数の第１腰壁部分を一対一対応で取り付ける。
このような構成によれば、各第１腰壁部分を１本の支柱のみに取り付けるため、施工性が向上する。
【０００８】
また、本発明の第３の局面によれば、上記の施工方法において、第１腰壁部分は腰壁の内面および外面を構成する側面以外の側面に、第１腰壁部分と第２腰壁部分が形成する腰壁の延在方向に対して傾斜する面部分である第１傾斜面部分を有し、第２腰壁部分は腰壁の内面および外面を構成する側面以外の側面に、腰壁の延在方向に対して傾斜する面部分である第２傾斜面部分を有し、第２腰壁部分取り付けステップにより第１腰壁部分に対して第２腰壁部分が取り付けられた際、第１傾斜面部分と第２傾斜面部分とは対向し合う。
このような構成によれば、第２腰壁部分を腰壁の延在方向に直交する方向に移動させて第１腰壁部分に接近させて取り付ける際、第１傾斜面部分と第２傾斜面部分とが斜め方向に向かい合いながら接近する。そのため、第１傾斜面部分と第２傾斜面部分の間にパッキンを設置する場合（本発明の第４の局面）、パッキンが捩れたり、脱落したり、破損しない。
【０００９】
また、本発明の第５の局面によれば、第１腰壁部分の幅は第２腰壁部分の幅より狭い。これによれば、より低重量の第１腰壁部分を支柱に対して先に取り付け、比較的重い第２腰壁部分については、その両側の２つの第１腰壁部分により支えることができるため、施工性が向上する。
【００１０】
また、本発明の第６の局面によれば、第１腰壁部分と第２腰壁部分とを有する腰壁であって、第１腰壁部分は腰壁の内面および外面を構成する側面以外の側面に、第１腰壁部分と第２腰壁部分が形成する腰壁の延在方向に対して傾斜する面部分である第１傾斜面部分を有し、第２腰壁部分は腰壁の内面および外面を構成する側面以外の側面に、腰壁の延在方向に対して傾斜する面部分である第２傾斜面部分を有し、腰壁において、第１傾斜面部分と第２傾斜面部分とは対向し合う、腰壁が提供される。
【００１１】
また、本発明の第７の局面によれば、上記の腰壁は、第１傾斜面部分と第２傾斜面部分の間に挟持されるパッキンを更に有する。
また、本発明の第８の局面によれば、上記の腰壁は、第１腰壁部分を取り付ける支柱を更に有し、第２腰壁部分は支柱に対して取り付けられない。
更に、本発明の第９の局面によれば、上記の腰壁において、第１腰壁部分の幅は第２腰壁部分の幅より狭い。
【図面の簡単な説明】
【００１２】
【図１】図１は本発明の一実施形態による腰壁の例を模式的に示す平面図である。
【図２】図２は図１の腰壁のうち一点鎖線ＩＩで囲んだ部分を取り出して示す平面図である。
【図３】図３は図１の腰壁を構成する複数の第１腰壁部分のうちの一つを示す図である。
【図４】図４は図１の腰壁を構成する複数の第２腰壁部分のうちの一つを示す図である。
【図５】図５は図１の腰壁を構築する手順の例を説明するための説明図である。
【図６】図６は図５の手順の一部を説明するための説明図である。
【図７】図７（Ａ）は図５（Ａ）の支柱の一部を拡大して示す図であり、図７（Ｂ）は図７（Ａ）の支柱のＶＩＩＢ−ＶＩＩＢ断面図である。
【図８】図８は図５（Ｂ）の第１腰壁部分の一部を矢印ＶＩＩＩの方向に見た図である。
【発明を実施するための形態】
【００１３】
以下、本発明の一実施形態について添付図を参照して説明する。図１は本発明の一実施形態による腰壁１の例を模式的に示す平面図である。腰壁１は主として複数の第１腰壁部分１０、複数の第２腰壁部分２０、複数の支柱３０からなる。図２は図１の腰壁１のうち一点鎖線ＩＩで囲んだ部分を取り出して示す平面図である。図２に示す様に、第１腰壁部分１０は床に立設された鉄鋼製等の支柱３０（例えば、角型鋼管）の側面に対してそれぞれ取り付けられており、各第２腰壁部分２０は一対の第１腰壁部分１０間に取り付けられている。支柱３０としては角型鋼管の他、Ｈ型鋼等も利用できる。
【００１４】
図３は第１腰壁部分１０の一つを示す図である。図３（Ａ）は第１腰壁部分１０の上面１１を示す図であり、図３（Ｂ）は図３（Ａ）の第１腰壁部分１０を矢印ＩＩＩＢの方向に見た図であり腰壁１の外面を構成する側面１２を示す図であり、図３（Ｃ）は図３（Ｂ）の第１腰壁部分１０を矢印ＩＩＩＣの方向に見た図であり、図３（Ｄ）は図３（Ａ）の第１腰壁部分１０を矢印ＩＩＩＤの方向に見た図であり腰壁１の内面を構成する側面１３を示す図である。
【００１５】
図３（Ａ）に示す様に、第１腰壁部分１０の上面１１には、第１腰壁部分１０を吊り下げ移動するための器具を取り付けるための複数の長ナット状のインサート１１１が埋設され、そのインサート１１１のねじ穴端が上面１１に開口している。図３（Ｄ）に示す様に、側面１３の左右両縁付近には、第１腰壁部分１０と第２腰壁部分２０とを連結するための金属製の連結プレート６０（図６（Ｅ）参照）を収容するための複数の第１凹部１３１が形成されている。また、各第１凹部１３１内には、連結プレート６０をボルト取り付けするための長ナット状のインサート１３２が埋設され、そのインサート１３２のねじ穴端が各第１凹部１３１内に開口している。また、側面１３の下縁付近には、アジャスター５１（図５、８参照）をボルト取り付けするための複数の長ナット状のインサート１３３が埋設され、そのインサート１３３のねじ穴端が側面１３に開口している。更に、側面１３の左右方向の中心部付近には、支柱３０をボルト取り付けするための複数の長ナット状のインサート１３４が埋設され、そのインサート１３４のねじ穴端が側面１３に開口している。
【００１６】
図３（Ｅ）は図３（Ａ）の第１腰壁部分１０のうち、一点鎖線ＩＩＩＥで囲む端部付近を拡大して実線により示す図である。図３（Ｅ）には、腰壁１を構築する際に第１腰壁部分１０と隣接配置される第２腰壁部分２０の端部付近を二点鎖線により示す。図３（Ａ）、（Ｅ）に示す様に、第１腰壁部分１０の４つの側面のうち、腰壁１の外面を成す側面１２と内面を成す側面１３以外の側面１４には、腰壁１の延びる方向、すなわち、腰壁１を構成する第１腰壁部分１０と第２腰壁部分２０が並べられる方向に対して傾斜する第１傾斜面部分１４１が形成される。側面１３から平坦面（第１腰壁部分１０の厚さ方向の面）を介して第１傾斜面部分１４１は形成され、内側の側面１３に対向するように傾斜している。平坦面と側面１３とのエッジ部分は面トリされている。また、側面１４のうち第１傾斜面部分１４１よりも側面１２側には、第１凹溝１４２が形成されている。この第１凹溝１４２は、第１傾斜面部分１４１と平坦面（第１腰壁部分１０の厚さ方向の面）を介してつながれている。この第１凹溝１４２は、アリ溝構造となるように、第１傾斜面部分１４１と反対方向に少し傾斜している。第１凹溝１４２と側面１２とのエッジ部分は面トリされている。
【００１７】
図４は第２腰壁部分２０の一つを示す図である。図４（Ａ）は第２腰壁部分２０の上面２１を示す図であり、図４（Ｂ）は図４（Ａ）の第２腰壁部分２０を矢印ＩＶＢの方向に見た図であり腰壁１の外面を構成する側面２２を示す図であり、図４（Ｃ）は図４（Ｂ）の第２腰壁部分２０を矢印ＩＶＣの方向に見た図であり、図４（Ｄ）は図４（Ａ）の第２腰壁部分２０を矢印ＩＶＤの方向に見た図であり腰壁１の内面を構成する側面２３を示す図である。
【００１８】
図４（Ａ）に示す様に、第２腰壁部分２０の上面２１には、第２腰壁部分２０を吊り下げ移動するための器具を取り付けるための複数の長ナット状のインサート２１１が埋設され、そのインサート２１１のねじ穴端が上面２１に開口している。図４（Ｄ）に示す様に、側面２３の左右両縁付近には、第１腰壁部分１０と第２腰壁部分２０とを連結するための連結プレート６０を収容するための複数の第２凹部２３１が形成されている。また、各第２凹部２３１内には、連結プレート６０をボルト取り付けするための長ナット状のインサート２３２が埋設され、そのインサート２３２のねじ穴端が各第２凹部２３１内に開口している。また、側面２３の下縁付近には、アジャスター５２（図５参照）をボルト取り付けするための複数の長ナット状のインサート２３３が埋設され、そのねじ穴端が側面２３に開口している。
【００１９】
図４（Ｅ）は図４（Ａ）の第２腰壁部分２０のうち、一点鎖線ＩＶＥで囲む端部付近を拡大して実線により示す図である。図４（Ｅ）には、腰壁１を構築する際に第２腰壁部分２０に隣接配置される第１腰壁部分１０の端部付近を二点鎖線により示す。図４（Ａ）、（Ｅ）に示す様に、第２腰壁部分２０の４つの側面のうち、腰壁１の外面を成す側面２２と内面を成す側面２３以外の側面２４には、腰壁１の延びる方向、すなわち、腰壁１を構成する第１腰壁部分１０と第２腰壁部分２０が並べられる方向に対して傾斜する第２傾斜面部分２４１が形成される。内側の側面２３と第２傾斜面部分２４１との間には平坦面（第２腰壁部分２０の厚さ方向の面）が介在され、第２傾斜面部分２４１は側面２３の仮想延長面に対向するように傾斜している。平坦面と側面２３とのエッジ部分は面トリされている。また、側面２４のうち第２傾斜面部分２４１よりも側面２２側には第２凹溝２４２が形成されている。この第２凹溝２４２は、第２傾斜面部分２４１と平坦面（第２腰壁部分２０の厚さ方向の面）を介してつながれている。この第２凹溝２４２は、アリ溝構造となるように、第２傾斜面部分２４１と同じ方向に少し傾斜している。第２凹溝２４２と側面２２とのエッジ部分は面トリされている。
【００２０】
図３（Ｅ）および図４（Ｅ）に示す様に、腰壁１を構築するように第１腰壁部分１０と第２腰壁部分２０とが並べられると、第１腰壁部分１０の第１傾斜面部分１４１と第２腰壁部分２０の第２傾斜面部分２４１とは互いに略平行となるように対向し合う位置関係を有する。また、各平坦面も平行配置される。またその際、第１凹溝１４２と第２凹溝２４２は、腰壁１の外側であって第１腰壁部分１０と第２腰壁部分２０の継ぎ目となる部分にコーキング材を打ち込むための防水施工用溝を形成する。防水施工用溝は、腰壁１の内側から外側に向かって横幅がやや狭くなるよう、即ちアリ溝構造に形成されていてもよく、それによりコーキング材の保持性を高めることができる。
【００２１】
次に、本実施形態の腰壁１を構築する方法を図５〜８を参照しながら説明する。
まず、図５（Ａ）に示す様に、複数の支柱３０を、基礎１０１の所定の位置に建て付ける。支柱３０は、その下部が基礎１０１に埋入される態様で立設されていてもよい。
次に、図５（Ｂ）に示す様に、支柱３０に対して第１腰壁部分１０を取り付ける。支柱３０の側面には複数のアングル３１が取り付けてある。図示例においては、１本の支柱３０に対し２対のアングル３１が取り付けてある。例えば、アングル３１は金属材料からなり、溶接や螺着によって支柱３０に取り付けられていてもよい。
図７（Ａ）は支柱３０のアングル３１が取り付けられた部分付近を取り出して示す図である。図７（Ｂ）は図７（Ａ）の支柱３０のＶＩＩＢ−ＶＩＩＢ断面図である。図示するように、各アングル３１には上方向に開いている溝３１１が形成されている。
【００２２】
第１腰壁部分１０を支柱３０に対して取り付けるには、第１腰壁部分１０の複数のインサート１３４に対して仮締めされたボルト４０を、対応するアングル３１の溝３１１に対して上方向から挿入するように第１腰壁部分１０を吊り下げ移動させ、アジャスター５１により第１腰壁部分１０の位置の微調整を行い、ボルト４０をインサート１３４に対して締結して本固定するという方法が例示できる。
【００２３】
図８は図５（Ｂ）の第１腰壁部分１０の一部を矢印ＶＩＩＩの方向に見た図である。図８に示す様に、アジャスター５１は金属材料からなるアングル材であり垂直面部分と水平面部分を有し、垂直面部分がボルト９１により第１腰壁部分１０のインサート１３３に締結される。アジャスター５１の水平面部分のねじ穴には別のボルト９２がねじ止めされており、ボルト９２の先端は基礎１０１上に設置された受けプレート９３に接している。ボルト９２をアジャスター５１の水平面部分のねじ穴に対して正逆回転させることで第１腰壁部分１０の位置（高さ、傾き）の微調整を行うことができる。
【００２４】
次に、図５（Ｃ）に示す様に、隣り合う第１腰壁部分１０の間に第２腰壁部分２０を設置する。図６には、隣接する第１腰壁部分１０の間に第２腰壁部分２０を設置する様子を上方から見た状況を示している。まず、図６（Ａ）のように、第１腰壁部分１０の第１傾斜面部分１４１に、樹脂材料等からなる止水用のパッキン８０を取り付ける。パッキン８０は第１傾斜面部分１４１の上端付近から下端付近まで延在するものであることが好ましい。次に、図６（Ｂ）に示す様に、吊り状態の第２腰壁部分２０を支柱３０とは反対の側から第１腰壁部分１０間の隙間に接近させる。そして、図６（Ｃ）に示す様に、隣接する第１腰壁部分１０の間に第２腰壁部分２０を配置して、これらを一列に整列させる。このとき、第２腰壁部分２０の両方の第２傾斜面部分２４１は、両側に隣接する第１腰壁部分１０の第１傾斜面部分１４１のそれぞれと互いに略平行となるように対向し、それぞれの間にパッキン８０を挟持することとなる。パッキン８０を第２傾斜面部分２４１の側に取り付けてもよく、第１傾斜面部分１４１および第２傾斜面部分２４１の両方に取り付けてもよい。
【００２５】
図６（Ｃ）の状態において第１腰壁部分１０の第１凹部１３１とそれに対応する第２腰壁部分２０の第２凹部２３１とが隣接し合う。図６（Ｄ）に示す様に、隣接し合う第１凹部１３１と第２凹部２３１に１枚の連結プレート６０を差し渡して収容する。図６（Ｅ）に示す様に連結プレート６０には２つの孔が形成されており、隣接する第１凹部１３１と第２凹部２３１に連結プレート６０差し渡して収容すると、それらの孔は、第１腰壁部分１０のインサート１３２の開口と第２腰壁部分２０のインサート２３２の開口にそれぞれ対応する位置となる。その状態でボルト７０をインサート１３２、２３２に締結して連結プレート６０を固定することで、連結プレート６０により第１腰壁部分１０と第２腰壁部分２０とを連結する。本実施例では、隣接する第１腰壁部分１０と第２腰壁部分２０とを上下２枚の連結プレート６０で連結している。連結の際には、第２腰壁部分２０の位置を、そのアジャスター５２によって微調整をすることができる。その際、第１腰壁部分１０を支柱３０に取りつけているボルト４０を若干緩めて、第１腰壁部分１０の位置の微調整をアジャスター５１により行ってもよい。アジャスター５２の構造および機能はアジャスター５１と同様である。
【００２６】
このようにして、図５（Ｃ）に示す様に、支柱３０に対する第１腰壁部分１０の取り付けと、第１腰壁部分１０に対する第２腰壁部分２０の取り付けが完了する。第２腰壁部分の傾倒防止は専ら第１腰壁部分で行われる。即ち、第２腰壁部分は支柱３０によって支持されていない。次に、図５（Ｄ）に示す様に、基礎１０１上にコンクリート等により床１０２を形成してもよい。床１０２はアジャスター５１、５２を覆う高さまで形成してもよい。
最後に、第１凹溝１４２と第２凹溝２４２とで形成される防水施工溝にコーキング材を充填する。
【００２７】
以上説明した本実施形態による腰壁１の施工方法によれば、支柱３０に対して取り付けられる第１腰壁部分１０と、支柱３０に取り付けられた第１腰壁部分１０に対して取り付けられる第２腰壁部分２０とを用いるため、第１腰壁部分１０、第２腰壁部分２０のいずれの幅も、隣り合う支柱３０間の距離よりも短いものとすることができる。それにより、第１腰壁部分１０および第２腰壁部分２０の各一つ当たりの重量を低減することができ、施工性が向上する。しかも、既に支柱３０に取り付けられた第１腰壁部分１０に対して第２腰壁部分２０を取り付けるため、第２腰壁部分２０を取り付ける際、安定的に取り付けることができる。また、第２腰壁部分２０は支柱３０には取り付けられないため、その分省力化が図れる。
【００２８】
図１〜５に示すように、第１腰壁部分１０の幅を第２腰壁部分２０の幅より狭いものとしてもよい。例えば、第２腰壁部分２０の幅を第１腰壁部分１０の幅の約２倍としてよい。これによれば、より低重量の第１腰壁部分１０を支柱３０に対して先に取り付け、比較的重い第２腰壁部分をその両側の２つの第１腰壁部分により支えることができるため、施工性が向上する。
【００２９】
また、第１腰壁部分１０は第１傾斜面部分１４１を有し、第２腰壁部分２０は第２傾斜面部分２４１を有し、第１腰壁部分１０と第２腰壁部分２０とを組み合わせる際には、図６（Ｂ）に示す様に、第１傾斜面部分１４１と第２傾斜面部分２４１とが斜め方向に向かい合いながら接近する。そのため、第１傾斜面部分１４１と第２傾斜面部分２４１の間に配置されたパッキン８０は主としてその厚さ方向の圧力を受けるため、パッキン８０が捩れたり、脱落したり、破損しない。
【００３０】
図５（Ｂ）に示す様に１本の支柱３０に対して一つの第１腰壁部分１０を取り付けることとしてもよい。これにより、施工性が向上する。あるいは、複数の支柱３０に対して一つの第１腰壁部分１０を取り付けてもよい。
第１腰壁部分１０は図３に示したような平板形状のものに限らず、図１に示すような腰壁１の角部を形成する角部用腰壁部分１０’であっても、本発明を同様に適用できる。また、図１に示す様に一方側に腰壁１の開口を形成する開口用腰壁部分１０”であっても、第１腰壁部分１０に代えて本発明を同様に適用できる。
本発明は上記発明の実施形態やその変形例の説明に何ら限定されるものではない。特許請求の範囲を逸脱せず、当業者が容易に想到できる範囲で種々の変形態様もこの発明に含まれる。
【符号の説明】
【００３１】
１  腰壁
１０  第１腰壁部分
１０’  角部用腰壁部分
１０”  開口用腰壁部分
１１  上面
１２、１３、１４  側面
２０  第２腰壁部分
２１  上面
２２、２３、２４  側面
３０  支柱
３１  アングル
４０  ボルト
５１、５２  アジャスター
６０  連結プレート
７０  ボルト
８０  パッキン
９１、９２  ボルト
９３  受けプレート
１０１  基礎
１０２  床
１１１  インサート
１３１  第１凹部
１３２、１３３、１３４  インサート
１４１  第１傾斜面部分
１４２  第１凹溝
２１１  インサート
２３１  第２凹部
２３２、２３３  インサート
２４１  第２傾斜面部分
２４２  第２凹溝
３１１  溝
【図１】
2019183431.tif 000003
【図２】
2019183431.tif 000004
【図３】
2019183431.tif 000005
【図４】
2019183431.tif 000006
【図５】
2019183431.tif 000007
【図６】
2019183431.tif 000008
【図７】
2019183431.tif 000009
【図８】
2019183431.tif 000010
【手続補正書】
【提出日】令和1年5月18日(2019.5.18)
【手続補正１】
【補正対象書類名】特許請求の範囲
【補正対象項目名】全文
【補正方法】変更
【補正の内容】
【特許請求の範囲】
【請求項１】
第１腰壁部分および第２腰壁部分を含む腰壁の施工方法であって、
複数の支柱に対して複数の前記第１腰壁部分をそれぞれ取り付ける第１腰壁部分取り付けステップと、
複数の前記第１腰壁部分の間に前記第２腰壁部分を取り付ける第２腰壁部分取り付けステップと、を含み、
前記第２腰壁部分は平板状であって支柱に対して取り付けられず、
前記第１腰壁部分の幅は前記第２腰壁部分の幅よりも狭いと共に、複数の前記第１腰壁部分と前記第２腰壁部分とは、一列に整列している、腰壁の施工方法。
【請求項２】
第１腰壁部分取り付けステップは複数の前記支柱に対して複数の前記第１腰壁部分を一対一対応で取り付ける、請求項１に記載の腰壁の施工方法。
【請求項３】
前記第１腰壁部分は前記腰壁の内面および外面を構成する側面以外の側面に、前記第１腰壁部分と前記第２腰壁部分とが形成する前記腰壁の延在方向に対して傾斜する面部分である第１傾斜面部分を有し、
前記第２腰壁部分は前記腰壁の内面および外面を構成する側面以外の側面に、前記腰壁の延在方向に対して傾斜する面部分である第２傾斜面部分を有し、
前記第２腰壁部分取り付けステップにより前記第１腰壁部分に対して前記第２腰壁部分が取り付けられた際、前記第１傾斜面部分と前記第２傾斜面部分とは対向し合う、請求項１または請求項２に記載の腰壁の施工方法。
【請求項４】
前記第１傾斜面部分および／または前記第２傾斜面部分に対してパッキンを取り付けるステップを更に含む、請求項３に記載の腰壁の施工方法。
ことを特徴とする。
【請求項５】
前記第１腰壁部分は平板状であるか、あるいは前記腰壁の角部を形成する角部用腰壁部分である、請求項１〜４のいずれか一項に記載の腰壁の施工方法。
【請求項６】
第１腰壁部分および平板状の第２腰壁部分を含む腰壁であって、
前記第１腰壁部分の幅は前記第２腰壁部分の幅よりも狭く、複数の前記第１腰壁部分とこれらの間に取り付けられる前記第２腰壁部分とは、一列に整列していると共に、
前記第１腰壁部分は前記腰壁の内面および外面を構成する側面以外の側面に、前記第１腰壁部分と前記第２腰壁部分とが形成する前記腰壁の延在方向に対して傾斜する面部分である第１傾斜面部分を有し、
前記第２腰壁部分は前記腰壁の内面および外面を構成する側面以外の側面に、前記腰壁の延在方向に対して傾斜する面部分である第２傾斜面部分を有し、
前記第１傾斜面部分と前記第２傾斜面部分とは対向し合う、腰壁。
【請求項７】
前記第１傾斜面部分と前記第２傾斜面部分との間に挟持されるパッキンを更に有する、請求項６に記載の腰壁。
【請求項８】
前記第１腰壁部分を取り付ける支柱を更に有し、
前記第２腰壁部分は支柱に対して取り付けられていない、請求項６または請求項７に記載の腰壁
【請求項９】
前記第１腰壁部分は平板形状であるか、あるいは前記腰壁の角部を形成する角部用腰壁部分である、請求項６〜８のいずれか一項に記載の腰壁。
【請求項１０】
前記第１腰壁部分の前記側面に第１凹溝が備えられ、前記第２腰壁部分の前記側面に第２凹溝が備えられ、前記各側面を対向させたときに、前記第１凹溝と前記第２凹溝とでコーキング材が打ち込まれる防水施工用溝が形成される、請求項６〜９のいずれか一項に記載の腰壁。